(57)【要約】【課題】内部空間を大きく形成して充填する充填材の量を増大し、これにより、良好な通水性を保って自然環境を保全することができるとともに、構築時の作業性が高く、かつ、充填材の大きさ等に制約がなく、材料の輸送費を含む護岸の構築コストを低廉にできる護岸構造を提供すること。【解決手段】周壁１１に多数の透孔を形成した金属製の筒状体１を護岸に設置し、隣接する筒状体１同士を連結するとともに、筒状体１の内部に砕石等の充填材２を充填した護岸構造において、金属製の筒状体１を、護岸に敷設したエキスパンドメタル３を介して設置し、筒状体１の内部に砕石等の充填材２を充填するとともに、筒状体１の上面を、長手方向に複数本の凹溝４２を有する金属線材４１を編んで形成した網体４で覆うようにする。【選択図】図１
2005098045.tif 000002
【特許請求の範囲】
【請求項１】
周壁に多数の透孔を形成した金属製の筒状体を護岸に設置し、隣接する筒状体同士を連結するとともに、筒状体の内部に砕石等の充填材を充填した護岸構造において、前記金属製の筒状体を、護岸に敷設したエキスパンドメタルを介して設置し、筒状体の内部に砕石等の充填材を充填するとともに、筒状体の上面を、長手方向に複数本の凹溝を有する金属線材を編んで形成した網体で覆ったことを特徴とする護岸構造。
【請求項２】
螺旋状の凹溝を有する金属線材を編んで形成した網体を用いたことを特徴とする請求項１記載の護岸構造。
【請求項３】
周壁に多数の透孔を形成した金属製の筒状体を護岸に設置し、隣接する筒状体同士を連結するとともに、筒状体の内部に砕石等の充填材を充填した護岸構造において、前記金属製の筒状体を、護岸に敷設したエキスパンドメタルを介して設置し、筒状体の内部に砕石等の充填材を充填するとともに、筒状体の上面を、表面をショットブラスト処理した金属線材を編んで形成した網体で覆ったことを特徴とする護岸構造。
【請求項４】
直径０．２〜０．８ｍｍの球体を用いてショットブラスト処理したことを特徴とする請求項３記載の護岸構造。
【請求項５】
エキスパンドメタル、筒状体及び網体を、ステンレススチール製としたことを特徴とする請求項１、２、３又は４記載の護岸構造。
【発明の詳細な説明】
【技術分野】
【０００１】
本発明は、河川、湖、海岸、山肌、谷間等（本明細書において、単に「河川等」という場合がある。）の護岸、法面等の構造（本明細書において、水深の浅い川底、湖底、海底部分の構造を含み、単に「護岸構造」という場合がある。）に関し、特に、自然環境の保全を目的とした護岸構造に関するものである。
【背景技術】
【０００２】
従来、河川等の護岸を造成する場合、法面を保護するために、法面に沿ってコンクリートを打設したり、コンクリート製ブロックを設置するようにしている。しかしながら、近年の自然環境の保全の気運の高まりとともに、上記従来のコンクリートを使用する工法の見直しが進められ、自然環境に適合した工法の開発が要請されている。
【０００３】
ところで、この自然環境の保全の要請に応えるものとして、内部に砕石等の充填材を充填することができる中空状のコンクリート製ブロックが提案され、実用化されている。
【０００４】
しかしながら、このブロックは、コンクリート製のため重量が大きく、扱いにくいため、構築時の作業性が悪いだけでなく、ブロックに要求される強度との関係上、内部空間をあまり大きく形成することができず、このため、ブロックの内部に充填することができる充填材の量に制約があり、通水性を保つことにより自然環境を保全するという目的を完全には達成するものではなかった。
【０００５】
また、コンクリート製ブロックの場合、ブロックの周壁に多数の小孔を形成することができず、このため、ブロックの内部に充填する充填材の大きさ等に制約があって、現地の材料を使用することができないことが多く、材料の輸送費を含む護岸の構築コストが上昇するという問題点を有していた。
【発明の開示】
【発明が解決しようとする課題】
【０００６】
本発明は、上記のコンクリートを打設したり、コンクリート製ブロックを設置する従来工法や、内部に砕石等の充填材を充填することができる中空状のコンクリート製ブロックの有する問題点に鑑み、内部空間を大きく形成して充填する充填材の量を増大し、これにより、良好な通水性を保って自然環境を保全することができるとともに、構築時の作業性が高く、かつ、充填材の大きさ等に制約がなく、材料の輸送費を含む護岸の構築コストを低廉にできる護岸構造を提供することを目的とする。
【課題を解決するための手段】
【０００７】
上記目的を達成するため、本発明の護岸構造は、周壁に多数の透孔を形成した金属製の筒状体を護岸に設置し、隣接する筒状体同士を連結するとともに、筒状体の内部に砕石等の充填材を充填した護岸構造において、前記金属製の筒状体を、護岸に敷設したエキスパンドメタルを介して設置し、筒状体の内部に砕石等の充填材を充填するとともに、筒状体の上面を、長手方向に複数本の凹溝を有する金属線材を編んで形成した網体で覆ったことを特徴とする。
この場合、「河川等」には、河川のほか、湖、海岸、山肌、谷間等を含み、護岸構造には、法面のほか、水深の浅い川底、湖底、海底部分の構造を含むものとする。
【０００８】
この場合、螺旋状の凹溝を有する金属線材を編んで形成した網体を用いることができる。
【０００９】
また、同じ目的を達成するため、本発明の護岸構造は、周壁に多数の透孔を形成した金属製の筒状体を護岸に設置し、隣接する筒状体同士を連結するとともに、筒状体の内部に砕石等の充填材を充填した護岸構造において、前記金属製の筒状体を、護岸に敷設したエキスパンドメタルを介して設置し、筒状体の内部に砕石等の充填材を充填するとともに、筒状体の上面を、表面をショットブラスト処理した金属線材を編んで形成した網体で覆ったことを特徴とする。
【００１０】
この場合、直径０．２〜０．８ｍｍの球体を用いてショットブラスト処理を行うことが望ましい。
【００１１】
また、エキスパンドメタル、筒状体及び網体を、ステンレススチール製とすることができる。
【発明の効果】
【００１２】
本発明の護岸構造によれば、周壁に多数の透孔を形成した金属製の筒状体を護岸に設置し、使用する鋼材の厚みを調整するのみで、要求される強度を容易に得ることができ、内部空間を大きく形成して充填する充填材の量を増大し、これにより、良好な通水性を保って、魚や昆虫等の水中生物が住み易い豊かな自然環境を保全することができる。また、金属製の筒状体は、コンクリート製ブロックと比較して重量が小さく、取り扱いが容易となり、また、隣接する筒状体同士の連結作業も容易にできることと相俟って、構築時の作業性が高く、かつ、周壁に形成する透孔の大きさを調整するのみで、各種の充填材に対応することができるため、材料の輸送費を含む護岸の構築コストを低廉にできる。
また、金属製の筒状体を、護岸に敷設したエキスパンドメタルを介して設置することにより、筒状体の内部に充填した充填材が流出することを防止することができるとともに、筒状体の設置状体を安定化させることができる。
さらに、筒状体の上面を、長手方向に複数本の凹溝を有する金属線材を編んで形成した網体や表面をショットブラスト処理した金属線材を編んで形成した網体で覆うことにより、歩行時の滑りを防止するとともに、網体の耐久性が低下することもない。
【００１３】
また、螺旋状の凹溝を有する金属線材を編んで形成した網体を用いることにより、凹溝を確実かつ均等に歩行表面に現れるようにすることができ、歩行時の滑りをより確実に防止することができる。
【００１４】
また、表面をショットブラスト処理した金属線材を編んで形成した網体を用いることにより、歩行時の滑りを防止することができるとともに、金属線材の強度が高まり、耐久性を向上することができる。
【００１５】
また、エキスパンドメタル、筒状体及び網体を、ステンレススチール製とすることにより、有害物質が溶出することを防止するとともに、耐久性の高い護岸構造とすることができる。
【発明を実施するための最良の形態】
【００１６】
以下、本発明の護岸構造の実施の形態を図面に基づいて説明する。
【実施例１】
【００１７】
図１は、本発明の護岸構造を河川の護岸に適用した一実施例を示す。
この護岸構造は、図２に示すような周壁１１に多数の透孔を形成したステンレススチール等の金属製の筒状体１を法面及び川底に設置し（図１（ａ）及び図２に記載のものは、筒状体１を平面形状が六角形になるように、また、図１（ｂ）に記載のものは、筒状体１を平面形状が正方形又は長方形になるように形成している。）、設置した筒状体１が流水の作用等により移動しないように、隣接する筒状体１同士をボルト・ナット、螺旋状の線材等の締結具や溶接等により連結するとともに、筒状体１の内部に砕石等の充填材２を充填するようにしたものである。
【００１８】
この場合において、筒状体１は、使用環境、要求される強度等に応じて、厚さ数ｍｍ〜１０ｍｍ程度のステンレススチール鋼板に多数の切目を入れ、これを延伸することにより、多数の透孔を形成するようにしたエキスパンドメタル等の多数の透孔を形成した金属製の板材を、折り曲げることによって、平面形状が六角形、正方形又は長方形に形成するほか、同様の板材を、ボルト・ナット、螺旋状の線材等の締結具や溶接等により連結することによって、平面形状が三角形、六角形、八角形等の多角形、正方形又は長方形、円筒形等の任意の形状のものを採用することができる。
【００１９】
そして、筒状体１の周壁の少なくとも一部を省略して筒状体１を構成し、この省略した部分の周壁を、隣接する筒状体１の周壁１１で以て構成することができる。これにより、隣接する筒状体１の周壁１１の重なりをなくし、通水性を向上することができるとともに、材料費を節約して、筒状体１の製造コストを低廉にできる。
【００２０】
また、筒状体１は、法面及び川底に敷設したステンレススチール等の金属製のエキスパンドメタル３を介して設置し、設置した筒状体１と法面及び川底に敷設したエキスパンドメタル３とを、ボルト・ナット、螺旋状の線材等の締結具により連結するようにする。
これにより、筒状体１の内部に充填した充填材２が流出することを防止することができるとともに、筒状体１の設置状体を安定化させることができる。
【００２１】
また、内部に充填材２を充填した筒状体１の上面を、図３に示すように、長手方向に複数本（本実施例においては、１２０゜の間隔をあけて３本。なお、２本又は４本以上とすることもできる。）の凹溝４２を有する金属線材４１を編んで形成した網体４で覆い、筒状体１と網体４とを、ボルト・ナット、螺旋状の線材等の締結具により連結するようにする。
これにより、金属線材４１を編んで形成した網体４の表面に凹溝４２が現れるとともに、この凹溝４２の方向が、網体４を構成する隣接する金属線材４１間で異なるようになるため、凹溝４２によって、網体４上を歩行する際の滑りを有効に防止することができる。
また、凹溝４２は、金属線材４１の長手方向に形成されているため、金属線材４１の製造が容易となり、製造コストがかからないだけでなく、凹溝４２の位置で金属線材４１が剪断等により破断しにくく、網体４の耐久性が低下することもない。
そして、特に、図３（ｃ）に示すような螺旋状の凹溝４２を有する金属線材４１を編んで形成した網体４を用いることにより、凹溝４２を確実かつ均等に歩行表面に現れるようにすることができ、歩行時の滑りをより確実に防止することができる。
【００２２】
また、網体４には、このほか、表面をショットブラスト処理、好ましくは、直径０．２〜０．８ｍｍの鋼球等の球体を用いてショットブラスト処理した金属線材を編んで形成した網体を用いることができる。
この網体は、図６に示すように、高い摩擦係数を有することから、歩行時の滑りを防止することができるとともに、ショットブラスト処理により金属線材の強度が高まり、耐久性を向上することができる利点がある。
【００２３】
なお、本実施例においては、法面に設置する筒状体１は、その頂部が法面と平行となるように平面状に設置するようにしているが、これに限定されず、図４に示すように、その頂部に段差を設けて階段状に設置することもできる。
【００２４】
また、図４に示すように、川底に設置する筒状体１は、その頂部の高さが、隣接する筒状体同士で異なるように、例えば、数個置きに突出した筒状体１Ａを配設することができ、これにより、景観にアクセントを持たせることができるとともに、流水の緩衝効果を奏するものとなる。
【００２５】
筒状体１の内部には、通常は、図５（ａ）に示すように、砕石２１を一様に充填するようにするが、充填する充填材２は、筒状体１を設置する法面や川底等の状態、他の付随的な要請等に応じて任意に選定することができる。例えば、現地の材料を使用する場合等で、筒状体１の周壁１１に形成した透孔の大きさよりも小さな粒径の小石、砂を使用する場合には、図５（ｂ）に示すように、筒状体１の周壁１１の内周面に天然繊維又は合成樹脂繊維からなる透水性を有する不織布２３を配設した後、小石、砂等の粒状材２２を充填するようにする。また、河川の水の浄化を併せて行う場合には、図５（ｃ）に示すように、筒状体１に砕石２１ａ，２１ｂと木炭等の浄化材２４を層状又は混合して充填するようにする。また、図５（ｄ）に示すように、筒状体１に充填した砕石２１の上面に天然繊維又は合成樹脂繊維からなる透水性を有する不織布層２５を形成することもできる。
【００２６】
以上、本発明の護岸構造について、その実施例に基づいて説明したが、本発明は上記実施例に記載した構成に限定されるものではなく、例えば、必要に応じて、植生を施す等、その趣旨を逸脱しない範囲において適宜その構成を変更することができるものである。
【産業上の利用可能性】
【００２７】
本発明の護岸構造は、内部空間を大きく形成して充填する充填材の量を増大し、これにより、良好な通水性を保って自然環境を保全することができるとともに、構築時の作業性が高く、かつ、充填材の大きさ等に制約がなく、材料の輸送費を含む護岸の構築コストを低廉にできる特性を有していることから、河川の護岸（護床）に好適に用いることができるほか、例えば、湖、海岸、山肌、谷間等の護岸、法面（水深の浅い川底、湖底、海底部分の構造を含む。この場合は、水域の浄化構造となる。）等、より具体的には、堰堤、谷止、土留、擁壁等、この種の土木構造に広く適用できる。
【図面の簡単な説明】
【００２８】
【図１】本発明の護岸構造を河川の護岸に適用した一実施例を示す斜視図である。
【図２】筒状体の一例を示し、（ａ）は平面図、（ｂ）は正面図である。
【図３】網体を構成する金属線材を示し、（ａ）は正面図、（ｂ）は断面図、（ｃ）金属線材の変形例を示す斜視図である。
【図４】本発明の護岸構造を河川の護岸に適用した変形実施例を示す斜視図である。
【図５】筒状体を示す説明図である。
【図６】ショットブラスト処理した金属線材の特性（ショットブラスト処理に用いた球体の直径と摩擦係数及び金属線材の最大荷重との関係）を示すグラフである。
【符号の説明】
【００２９】
１    筒状体
１１  周壁
２    充填材
３    エキスパンドメタル
４    網体
【図１】
2005098045.tif 000003
【図２】
2005098045.tif 000004
【図３】
2005098045.tif 000005
【図４】
2005098045.tif 000006
【図５】
2005098045.tif 000007
【図６】
2005098045.tif 000008